【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
宛先アプリケーションダウンロードサーバと通信する無線装置上で表示するためのターゲットメッセージを処理する方法であって、
前記宛先アプリケーションダウンロードサーバと接続した後に、前記無線装置からの要求を受信し、
前記無線装置からの要求の処理を開始し、
前記無線装置からの要求を処理している間であって、待機送信時間中に無線装置へターゲットメッセージを送信し、このターゲットメッセージは前記要求の状態に無関係なメッセージを含む方法。
【請求項２】
前記無線装置に送信されたターゲットメッセージは、第２のサーバによって送信される請求項２記載の方法。
【請求項３】
前記ターゲットメッセージは複数の成分からなる請求項１記載の方法。
【請求項４】
前記無線装置へターゲットメッセージを送信することは、
アプリケーションサーバによって、ターゲットメッセージの複数の成分のうちの第１の成分を送信し、
第２のサーバによってターゲットメッセージの複数の成分のうちの第２の成分を送信することを含む請求項３記載の方法。
【請求項５】
前記ターゲットメッセージはハイパーリンクを有する請求項１記載の方法。
【請求項６】
前記ターゲットメッセージはマルチメディア成分を有する請求項１記載の方法。
【請求項７】
前記無線装置によって第２の要求を送信し、
前記第２の要求の処理を開始し、
送信待機時間中に無線装置へ第２のメッセージを送信することをさらに含む請求項１記載の方法。
【請求項８】
前記無線装置による第２の要求の送信は、第２のサーバによって受信される請求項７記載の方法。
【請求項９】
複数の無線装置のターゲットグループを規定し、
前記要求を送信した無線装置が前記ターゲットグループ内に存在するか否かを決定することをさらに含み、
待機送信時間中に無線装置へターゲットメッセージを送信することは、前記ターゲットグループに関連付けられたグループ特定メッセージを送信することを含む請求項１記載の方法。
【請求項１０】
前記アプリケーションダウンロードサーバは、無線ネットワークを介してソフトウェアアプリケーションをダウンロードするように構成されている請求項１記載の方法。
【請求項１１】
前記ターゲットメッセージは、広告を含む請求項１記載の方法。
【請求項１２】
前記ターゲットメッセージを送信することは、前記無線装置と前記アプリケーションダウンロードサーバとの間の全体の接続時間を実質的に延ばさないので、前記ターゲットメッセージはコンパクトである請求項１記載の方法。
【請求項１３】
宛先アプリケーションダウンロードサーバと通信する無線装置上で表示するためにターゲットメッセージを処理する方法であって、
前記宛先アプリケーションダウンロードサーバと接続した後に、前記無線装置からの要求をアプリケーションダウンロードサーバで受信し、
前記無線装置からの要求の処理を開始し、
ターゲットメッセージが無線装置へ送信されてもよいことを示す信号を第２のサーバへ送信し、前記ターゲットメッセージは、前記要求の状態とは無関係であるメッセージを含み、
前記アプリケーションダウンロードサーバと前記無線装置との間の待機送信時間中に前記第２のサーバによって無線装置へターゲットメッセージを送信することを含む方法。
【請求項１４】
複数の無線装置のターゲットグループを規定し、
要求を送信した無線装置が前記ターゲットグループ内に存在するか否かを決定することをさらに含み、
前記待機送信中に無線装置へターゲットメッセージを送信することは、前記ターゲットグループに関連付けられたグループ特定メッセージを送信することを含む請求項１３記載の方法。
【請求項１５】
前記ターゲットメッセージは複数の成分からなる請求項１３記載の方法。
【請求項１６】
前記無線装置へターゲットメッセージを送信することは、
前記第２のサーバによってターゲットメッセージの複数の成分のうちの第１の成分を送信し、
第３のサーバによってターゲットメッセージの複数の成分のうちの第２の成分を送信することを含む請求項１５記載の方法。
【請求項１７】
前記ターゲットメッセージはハイパーリンクを有する請求項１３記載の方法。
【請求項１８】
前記ターゲットメッセージはマルチメディア成分を有する請求項１３記載の方法。
【請求項１９】
前記アプリケーションダウンロードサーバは、無線ネットワークを介してソフトウェアアプリケーションをダウンロードするように構成されている請求項１３記載の方法。
【請求項２０】
前記ターゲットメッセージは、広告を含む請求項１３記載の方法。
【請求項２１】
前記ターゲットメッセージを送信することは、前記無線装置と前記アプリケーションダウンロードサーバとの間の全体の接続時間を実質的に延ばさないので、前記ターゲットメッセージはコンパクトである請求項１３記載の方法。
【請求項２２】
宛先アプリケーションダウンロードサーバと通信する無線装置上で表示するためのターゲットメッセージを処理する装置であって、
前記宛先アプリケーションダウンロードサーバと接続した後に、前記無線装置からの要求を受信する手段と、
前記無線装置からの要求の処理を開始する手段と、
前記無線装置からの要求を処理している間であって、待機送信時間中に無線装置へターゲットメッセージを送信する手段とを具備し、
このターゲットメッセージは前記要求の状態に無関係なメッセージを含む装置。
【請求項２３】
宛先アプリケーションダウンロードサーバと通信する無線装置上で表示するためのターゲットメッセージを処理するコンピュータ読み取り可能な命令を含むコンピュータ読み取り可能な媒体であって、実行された命令は、
前記宛先アプリケーションダウンロードサーバと接続した後に、前記無線装置からの要求を受信し、
前記無線装置からの要求の処理を開始し、
前記無線装置からの要求を処理している間であって、待機送信時間中に無線装置へターゲットメッセージを送信し、このターゲットメッセージは前記要求の状態に無関係なメッセージを含むコンピュータ読み取り可能な媒体。
【請求項２４】
無線装置上で表示するためのターゲットメッセージを処理するシステムにおいて、
前記無線装置と接続可能であって、前記無線装置からの要求を受信可能な宛先アプリケーションダウンロードサーバと、
前記無線装置からの要求の処理を開始可能なサーバと、
前記無線装置からの要求を処理している間であって、待機送信時間中に無線装置へターゲットメッセージを送信可能なサーバとを具備し、このターゲットメッセージは前記要求の状態に無関係なメッセージを含むシステム。
【請求項２５】
前記無線装置からの要求の処理を開始可能なサーバは、アプリケーションダウンロードサーバである請求項２４記載のシステム。
【請求項２６】
前記無線装置へ送信されるターゲットメッセージは、前記アプリケーションダウンロードサーバ以外のサーバによって送信される請求項２４記載のシステム。
【請求項２７】
前記無線装置は、無線装置の定義されたターゲットグループのメンバーであり、前記ターゲットメッセージは前記ターゲットグループと関連付けられている請求項２４記載のシステム。
【請求項２８】
前記アプリケーションダウンロードサーバは、無線ネットワークを介してソフトウェアアプリケーションをダウンロードするように構成されている請求項２４記載のシステム。
【請求項２９】
前記ターゲットメッセージは、グラフィック、テキスト、ネットワークオブジェクト、マルチメディア成分及び広告を含む請求項２４記載のシステム。
【請求項３０】
前記ターゲットメッセージを送信することは、前記無線装置と前記アプリケーションダウンロードサーバとの間の全体の接続時間を実質的に延ばさないので、前記ターゲットメッセージはコンパクトである請求項２４記載のシステム。
【請求項３１】
ターゲットメッセージを表示するための無線装置において、
宛先アプリケーションダウンロードサーバに接続可能であり、要求を宛先アプリケーションダウンロードサーバに送信することが可能なコンピュータプラットフォームとを具備し、
前記プラットフォームは、前記アプリケーションダウンロードサーバが前記無線装置からの要求を処理している待機送信時間中にターゲットメッセージを受信することができ、このターゲットメッセージは前記要求の状態に無関係なメッセージを含む無線装置。
【請求項３２】
前記ターゲットメッセージは、前記アプリケーションダウンロードサーバ以外のサーバによって送信される請求項３１記載の無線装置。
【請求項３３】
前記無線装置は、無線装置の定義されたターゲットグループのメンバーであり、前記ターゲットメッセージは前記ターゲットグループと関連付けられている請求項３１記載の無線装置。
【請求項３４】
前記ターゲットメッセージは、グラフィック、テキスト、ネットワークオブジェクト、マルチメディア成分及び広告を含む請求項３１記載の無線装置。
【請求項３５】
前記アプリケーションダウンロードサーバは、無線ネットワークを介してソフトウェアアプリケーションをダウンロードするように構成されている請求項３１記載の無線装置。
【請求項３６】
前記ターゲットメッセージを受信することは、前記無線装置と前記アプリケーションダウンロードサーバとの間の全体の接続時間を実質的に延ばさないので、前記ターゲットメッセージはコンパクトである請求項３１記載の無線装置。
【請求項３７】
前記ターゲットメッセージは、複数の成分を含み、前記コンピュータプラットフォームは前記複数の成分のうちの１つである請求項３１記載の無線装置。